(57)【要約】装置電力蓄積量に応じてネットワークマスターとしてのステイタスを放棄する技術に基づく本発明のシステム（４３０）は、自らの電力貯蓄量をモニターして、このモニターした電力貯蓄量が閾値を下回る場合は自らのネットワークマスターとしてのステイタスを放棄してネットーワークスレーブとしてのステイタスを得るように構成されるネットワークマスター装置（４３２）、及びこのネットワークマスター装置（４３２）と信号通信を行い、自らの電力貯蓄量をモニターして、このモニターした電力貯蓄量が少なくとも上記閾値かマスター装置の電力貯蓄量のいずれか１方を上回る場合は自らのネットワークスレーブとしてのステイタスを放棄するように構成される１以上のネットワークスレーブ装置（４３４．４３６．４３８）を有する。
2005523666.tif 000002
【特許請求の範囲】
【請求項１】
無線マスター装置が自らの電力貯蓄量に基づいてネットワークマスターとしてのステイタスを放棄する方法であって、
前記無線マスター装置の電力貯蓄量をモニターし、
前記モニターされた電力貯蓄量が閾値を下回っているかを判定し、
前記電力貯蓄量が前記閾値を下回っている場合、前記無線マスター装置のネットワークマスターとしてのステイタスを放棄して前記無線マスター装置にネットワークスレーブとしてのステイタスを付与するステップから構成される方法。
【請求項２】
前記マスター装置がネットワークマスターとしてのステイタスを放棄することをネットワークに放送し、
前記ネットワークにおける複数のスレーブ装置間で調停を行い後継のネットワークマスター装置を決定するステップを更に有することを特徴とする請求項１記載の方法。
【請求項３】
複数のネットワークスレーブ装置それぞれの電力貯蓄量を把握するために前記ネットワークスレーブ装置に対してポーリングを行い、
前記スレーブ装置からそれぞれの電力貯蓄量を示す応答を受信し、
前記応答したスレーブ装置のなかで最大の電力貯蓄量を有するスレーブ装置にネットワークマスター装置を後継するように要請し、
前記要請されたスレーブ装置と立場を交替させて前記要請された装置がネットワークマスターになり元のマスター装置がネットワークスレーブになるようにするステップを更に有することを特徴とする請求項１記載の方法。
【請求項４】
コンセントを電力源とする装置がポーリングの応答で最大の電力貯蓄量を示すことを特徴とする請求項３記載の方法。
【請求項５】
前記モニターされたネットワークマスター装置の電力貯蓄量を定期的に放送し、
スレーブ装置が前記放送されたマスター装置の電力貯蓄量を自らの電力貯蓄量と比較し、
前記スレーブ装置が前記マスター装置よりも大きい電力貯蓄量を有する場合は前記スレーブ装置から前記ネットワークマスター装置を後継することを要請するメッセージを送信するステップを更に有することを特徴とする請求項１記載の方法。
【請求項６】
前記電力貯蓄量の閾値は各装置について予め規定されていることを特徴とする請求項１記載の方法。
【請求項７】
前記電力貯蓄量の閾値は１以上の他のネットワーク装置の電力貯蓄量に応じて可変であることを特徴とする請求項１記載の方法。
【請求項８】
前記電力貯蓄量の閾値はネットワーク装置における電力の枯渇までの持続時間の動的な推測に応じて可変であることを特徴とする請求項１記載の方法。
【請求項９】
複数のインストラクションからなるプログラムを有形物として具現化する機器読取可能プログラム記憶装置であって、前記インストラクションは前記機器によって実行可能であり無線マスター装置が自らの電力貯蓄量に基づいてネットーワークマスターとしてのステイタスを放棄するための処理ステップを実現するように構成されるプログラム記憶装置において、前記処理ステップは、
前記無線マスター装置の電力貯蓄量をモニターし、
前記モニターされた電力貯蓄量が閾値を下回るかを判定し、
前記電力貯蓄量が前記閾値を下回る場合、前記無線装置のネットワークマスターとしてのステイタスを放棄して前記無線装置にネットーワークスレーブとしてのステイタスを付与するステップから構成されることを特徴とするプログラム記憶装置。
【請求項１０】
前記ネットワークマスター装置が自らのネットワークマスターとしてのステイタスを放棄することをネットワークに放送し、
前記ネットワークにおける複数のスレーブ装置間で調停を行い後継のネットワークマスター装置を決定するステップを更に有することを特徴とする請求項９記載のプログラム記憶装置。
【請求項１１】
複数のネットワークスレーブ装置それぞれの電力貯蓄量を把握するために前記ネットワークスレーブ装置に対してポーリングを行い、
前記ネットワークスレーブ装置からそれぞれの電力貯蓄量を示す応答を受信し、
前記応答したスレーブ装置のなかで最大の電力貯蓄量を有するにスレーブ装置対してネットワークマスター装置を後継するように要請し、
前記要請されたスレーブ装置と立場を交替させて前記要請されたスレーブ装置がネットワークマスターになり、元のマスター装置がネットワークスレーブになるようにするステップを更に有することを特徴とする請求項９記載のプログラム記憶装置。
【請求項１２】
前記モニターされたネットワークマスター装置の電力貯蓄量を定期的に放送し、
スレーブ装置が前記放送されたマスター装置の電力貯蓄量を自らの電力貯蓄量と比較し、
前記スレーブ装置が前記マスター装置の電力貯蓄量よりも大きな電力貯蓄量を有する場合は前記スレーブ装置から前記ネットワークマスター装置を後継することを要請するメッセージを送信するステップを更に有することを特徴とする請求項９記載のプログラム記憶装置。
【請求項１３】
電力貯蓄量に基づいてネットーワークマスターとしてのステイタスを放棄するための装置であって、
前記無線マスター装置の電力貯蓄量をモニターするためのモニター手段、
前記モニターされた電力貯蓄量が閾値を下回るかを判定するための閾値手段、及び
前記電力貯蓄量が前記閾値を下回る場合、前記無線装置のネットワークマスターとしてのステイタスを放棄して前記無線装置にネットーワークスレーブとしてのステイタスを付与するための放棄手段から構成されることを特徴とする装置。
【請求項１４】
前記ネットワークマスター装置が自らのネットワークマスターとしてのステイタスを放棄することをネットワークに放送するための放送手段、及び
前記ネットワークにおける複数のスレーブ装置間で調停を行い後継のネットワークマスター装置を決定するための調停手段を更に有することを特徴とする請求項１３記載の装置。
【請求項１５】
複数のネットワークスレーブ装置それぞれの電力貯蓄量を把握するために前記ネットワークスレーブ装置に対してポーリングを行うためのポーリング手段、
前記ネットワークスレーブ装置からそれぞれの電力貯蓄量を示す応答を受信するための受信手段、
前記応答したスレーブ装置のなかで最大の電力貯蓄量を有するにスレーブ装置対してネットワークマスター装置を後継するように要請するための要請手段、及び
前記要請されたスレーブ装置と立場を交替させて前記要請されたスレーブ装置がネットワークマスターになり、元のマスター装置がネットワークスレーブになるようにするための交替手段を更に有することを特徴とする請求項１３記載のプログラム記憶装置。
【請求項１６】
前記モニターされたネットワークマスター装置の電力貯蓄量を定期的に放送するための定期手段、
スレーブ装置が前記放送されたマスター装置の電力貯蓄量を自らの電力貯蓄量と比較するための比較手段、及び
前記スレーブ装置が前記マスター装置の電力貯蓄量よりも大きな電力貯蓄量を有する場合は前記スレーブ装置から前記ネットワークマスター装置を後継することを要請するメッセージを送信するためのメッセージ手段を更に有することを特徴とする請求項１３記載の装置。
【請求項１７】
装置電力貯蓄量に基づいてネットーワークマスターとしてのステイタスを放棄するためのシステムであって、
自らの電力貯蓄量をモニターして、前記モニターした電力貯蓄量が閾値を下回る場合は自らのネットワークマスターとしてのステイタスを放棄してネットーワークスレーブとしてのステイタスを得るように構成されるネットワークマスター装置、及び
前記ネットワークマスター装置と信号通信を行い、自らの電力貯蓄量をモニターして、前記モニターした電力貯蓄量が少なくとも前記閾値及び前記マスター装置の電力貯蓄量のいずれか１方を上回る場合は自らのネットワークスレーブとしてのステイタスを放棄するように構成される１以上のネットワークスレーブ装置を有することを特徴とする装置。
【請求項１８】
前記ネットワークマスター装置は、
プロセッサ部、
前記プロセッサ部と信号通信を行うメモリ部、
前記プロセッサ部と信号通信を行う入出力アダプタ、
前記プロセッサ部と信号通信を行うディスプレイ・アダプタ、及び
前記プロセッサ部と信号通信を行うユーザインタフェース・アダプタを有することを特徴とする請求項１７記載のシステム。
【請求項１９】
前記ネットワークスレーブ装置は、
プロセッサ部、
前記プロセッサ部と信号通信を行うメモリ部、
前記プロセッサ部と信号通信を行う入出力アダプタ、
前記プロセッサ部信号通信を行うディスプレイ・アダプタ、及び
前記プロセッサ部と信号通信を行うユーザインタフェース・アダプタを有することを特徴とする請求項１７記載のシステム。
【請求項２０】
前記１以上のネットワークスレーブ装置は、前記プロセッサ部、前記メモリ部，前記入出力アダプタ、前記ディスプレイ・アダプタ、及びユーザインタフェース・アダプタのうちの少なくとも１つと信号通信を行う電池を更に有することを特徴とする請求項１９記載のシステム。
【発明の詳細な説明】
【技術分野】
【０００１】
本発明は移動通信に関し、特に無線通信ネットワークに関する。
【背景技術】
【０００２】
現在では多くの無線ネットワークにおいてマスター装置及びスレーブ装置という概念が適用されている（以後このようなネットワークを「マスター／スレーブネットワーク」と呼ぶ）。このようなネットワーク内の装置は典型的には電池を電力源とする電池式装置であるためこれらの装置の電力の蓄えは有限である。このような装置はコンセントに接続されて基本的に無限の電力アクセスを有する装置とは事情が異なる。
【０００３】
なお、マスター／スレーブネットワークにおけるマスター装置はその役割を果たすために多くの電力を消費する。というのはマスター装置は常にスレーブ装置から信号を受信できる状態にいてネットワーク同期を維持しなければならないため、電力を節約するためのスリープモードに入ることができない。また、通常マスター装置はネットワーク同期を維持するためにスレーブ装置に対して同期信号などを送信しなければならないため、ここで更に電力を消費する。よってこのマスター装置が電池によって動作する電池式装置である場合、マスター装置の役割を果たすためには大量の電力が要されるということから、マスター装置の電池はすぐに消耗してしまう。
【０００４】
したがって従来の無線ネットワークでは、マスター装置の電力が使い果たされると、この装置はネットワークから切断され、その後他のスレーブ装置間で調停が行われ、これらスレーブ装置のなかから１つが新たなマスター装置として抜擢される。
【発明の開示】
【発明が解決しようとする課題】
【０００５】
本発明は従来技術の問題点を解決するために、装置電力貯蓄量に応じてネットワークマスター装置としてのステイタスを放棄するシステム及び方法を提案する。
【課題を解決するための手段】
【０００６】
本発明によるシステムは、自らの電力貯蓄量をモニターして、前記モニターした電力貯蓄量が閾値を下回る場合は自らのネットワークマスターとしてのステイタスを放棄してネットーワークスレーブとしてのステイタスを得るように構成されるネットワークマスター装置、及び前記ネットワークマスター装置と信号通信を行い、自らの電力貯蓄量をモニターして、前記モニターした電力貯蓄量が少なくとも前記閾値及び前記マスター装置の電力貯蓄量のいずれか１方を上回る場合は自らのネットワークスレーブとしてのステイタスを放棄するように構成される１以上のネットワークスレーブ装置を有する。
【０００７】
本発明の方法は、無線マスター装置の電力貯蓄量をモニターし、モニターされた電力貯蓄量が閾値を下回るか判定し、この電力貯蓄量が閾値を下回る場合はこの無線装置のネットワークマスターとしてのステイタスを放棄してこの無線装置にネットワークスレーブとしてのステイタスを付与するステップを含む。
【０００８】
本発明におけるこれら及びその他の特徴及び効果は、添付図面を参照して例示的に示される以下の本発明の好適な実施形態によっていっそう明確に理解されうる。
【発明を実施するための最良の形態】
【０００９】
本発明は無線装置がその電力貯蓄に基づいてネットワークマスターステイタスを放棄する方法及びシステムを提供する。これによりネットワークにおける電池式無線装置の電池の寿命が延長されうる。本発明は電力蓄積量が最も大きい装置又はより好ましくはコンセントに接続された装置を自動的且つ動的にマスター装置として選択する実施形態を開示する。このようにして他の装置の電池の寿命が延長されうる。
【００１０】
マスター装置は自らの電力貯蓄量をもモニターし、実施形態によってはネットワーク内における他の装置の電力貯蓄量をもモニターする。マスター装置の電力貯蓄量がある閾値を下回ると、この装置はマスター装置としての役割を手放し、より多くの電力貯蓄を有する他の装置のこのマスター装置としてのステイタスを譲る。これによってこの装置はすぐに電力貯蓄を使い果たすことはなく、より長い間ネットワークへ接続し続けることが可能になり、電池の寿命が延長されることとなる。すなわち本発明による方法では、マスター装置としての役割を最も多くの電力貯蓄を有する装置に担わせることによって無線ネットワーク装置の電池の寿命を延長させることができる。
【００１１】
なお、マスター装置が交替を求める基点とする電力貯蓄レベルの閾値は、操作終了時間の推側、元の蓄電量に対する比率、実質の電圧レベルなどに基づいて予め規定されうる。また、この電力貯蓄レベルの閾値は現時点でのマスター装置と現在ネットワークにおいて動作するスレーブ装置のなかで最も電力貯蓄量の多い装置との間での電力貯蓄量の差に基づいて動的に設定されることも可能である。
【００１２】
無線マスター／スレーブネットワークでは、マスター装置がネットワークの管理を行い、例えばセキュリティ、同期、各スレーブ装置の送信可能タイミングの判定などのタスクを実行する。基本的にはどの時点においても１つの装置だけがマスター装置として機能しているのであれば、どの装置がマスター装置になってもよい。すなわちネットワークにおいて１つのマスター装置以外はすべてスレーブ装置に相当する。スレーブ装置はマスター装置から同期信号を受信するように設定される。
【００１３】
スレーブ装置は電力節約用スリープモードに入ることができるため、電池式の装置にとって、スレーブ装置になることはとても有効である。スレーブ装置はユーザがこの装置から情報を送信することを希望する場合にこのスリープモードから目覚めるように設定されることが可能である。また、スレーブ装置は定期的に目覚めてマスター装置からのページをチェックすることができる。マスター装置はあるスレーブ装置へ送信すべき情報がある場合このスレーブ装置にページを送信する。このページはスレーブ装置に対して受信すべき情報が存在することを通知する。したがってスレーブ装置は定期的にスリープモードから目覚めてマスター装置からのこのようなページが届いているかをチェックする。スレーブ装置はこのスリープモードを適用することによってトランシーバにおける各部分をオフ状態にすることができるため電力の消費の節約を実現することができる。
【００１４】
これに対してマスター装置は以下の理由からスレーブ装置のようにスリープモードに入ることができない。まず第１に、マスター装置はネットワーク全体の同期を管理しているため常にネットワークのタイムベースを制御しなければならない。また、マスター装置は各スレーブ装置から受信されるデータをいつでも処理できるよう常に動作状態でいなければならない。マスター装置がスリープモードに入った場合スレーブ装置はマスター装置との通信を確立できなくなり、ネットワークがダウンしてしまう。マスター装置が常に動作状態でいなければならないということは、マスター装置がスレーブ装置に比べてはるかに速い速度で電力を消費することを意味する。これは特にマスター装置が電池式装置であった場合問題となる。
【００１５】
本発明の実施形態では、自動的且つ動的に、好ましくはユーザには認知されない形で、マスター装置としての地位を電力貯蓄量の低い装置から電力貯蓄量の高い装置へ配当しなおすか、あるいはより好適にはネットワーク内においてコンセントに接続されている装置が存在する場合この装置にマスター装置としての地位を配当しなおす。
【００１６】
以下において本発明の好適な実施形態の説明を示すが、同業者であれば本発明の反をから逸脱することなくこれらの実施形態を容易に拡張及び／又は変更することが可能であり、本発明はこれらの変形などをもその範囲に含む。
【００１７】
図１は無線装置１００の概略構成を示す。この無線装置１００は例えば携帯電話などを構成することが可能である。無線装置１００は、システムバス１０４と信号通信を行う１以上のプロセッサ又は中央制御部（ＣＰＵ）１０２を有する。またこのシステムバス１０４は読み出し専用メモリ（ＲＯＭ）１０６、ランダムアクセスメモリ（ＲＡＭ）１０８、ディスプレイ・アダプタ１１０、入出力（Ｉ／Ｏ）アダプタ１１２、及びユーザインタフェース・アダプタ１１４とも信号通信を行う。
【００１８】
また、無線装置１００はディスプレイ・アダプタ１１０を介してシステムバス１０４と信号通信を行うディスプレイ部１１６と、ユーザインタフェース・アダプタ１１４を介してシステムバス１０４と信号通信を行うキーパッド１２２とを有し、さらに入出力（Ｉ／Ｏ）アダプタ１１２又はその他の適正手段を介してシステムバス１１４と信号通信を行う無線通信デバイス１２８をも有する。また、同業者には自明であるように本発明の実施形態は上述の構成以外によっても実現可能であって、例えば本実施形態のデータやプログラムコードのすべてあるいは一部をプロセッサ１０２のレジスタなどという形で実現することも可能である。
【００１９】
図２はマスター降格方法２００を示す。このマスター降格方法２００は、マスター装置が自らの電源の電力貯蓄量をモニターする機能ブロック２１０を有する。次に判定ブロック２１２においてモニターされた電力貯蓄量が閾値を下回るか否かを判断する。ここで電力貯蓄量が閾値を下回っていない場合、動作は機能ブロック２１０に戻って更にモニター操作が実行される。しかし、モニターされた電力貯蓄量が閾値を下回った場合、動作は機能ブロック２１４へ移行し、ここでマスター装置は自装置が無線マスター／スレーブネットワークにおけるマスター装置としての地位から退くことを宣告する。次に動作は機能ブロック２１６へと移行し、ここではネットワークにおける他の装置が調停を行い、どの装置が新たなマスター装置として抜擢されるべきかを判断する。
【００２０】
したがってマスター降格方法２００を適用することにより、マスター装置は定期的に自らの電力貯蓄量をモニターし、このモニターされた量と閾値とを比較する。そして電力貯蓄量が閾値を上回る場合は通常の動作が続行する。しかし電力貯蓄量が閾値を下回る場合マスター装置は自らがマスター装置としての地位から退くことを告げる放送メッセージをネットワークにおける全てのスレーブ装置に対して送信する。これに対してネットワーク上の他の装置はマスター装置になるための調停を行う。これら他のスレーブ装置の電力貯蓄量が閾値を下回る場合、これら装置は電力貯蓄量が低いことを理由にマスター装置になることを断念することができる。また、全ての装置の電力貯蓄量が閾値を下回っていた場合、これらの装置はチャンネルをモニターして新たなマスター装置が存在するか否かを確認することができる。このような装置が存在しない場合、これらの電力貯蓄量の低い装置は所定時間待機してから電力貯蓄量の低いもの同士で調停を行い、ネットワークを存続させるためにマスター装置を抜擢する。
【００２１】
図３はマスター再配当方法３００を示す。このマスター再配当方法は、マスター装置が自らの電力貯蓄量をモニターする機能ブロック３１０を含む。次に判定ブロック３１２においてモニターされた電力貯蓄量が閾値を下回っているか否かを判断する。この電力貯蓄量が閾値を下回っていない場合、動作は機能ブロック３１０に戻され、更にモニター操作が実行される。
【００２２】
一方モニターされた電力貯蓄量が閾値を下回る場合、動作は機能フロック３１４へと移行し、ここでマスター装置は他のネットワーク装置に対してポーリングを行い他の装置それぞれの電力貯蓄量について問い合わせる。そして動作はブロック３１４から機能ブロック３１６へと続き、ここでネットワーク上のスレーブ装置はそれぞれの現時点での電力貯蓄量をマスター装置に返信する。なお、コンセント（ＡＣコンセントなど）に接続されている装置は最大あるいは無限の電力貯蓄量を示す。次にこの動作は機能ブロック３１６から機能ブロック３１８へと移行し、ここでは現在のマスター装置が最大電力貯蓄量を有するスレーブ装置に対してメッセージを送信し、これにマスター装置になるよう要請する。次に動作は機能ブロック３２０へと移行し、ここでは要請を受けたスレーブ装置がマスター装置としての役割を担って新たなマスター装置となる。
【００２３】
したがってこのようなマスター再配当方法３００を適用することにより、マスター装置は自らの電力貯蓄量を定期的にモニターし、このモニターされた電力貯蓄量を閾値と比較する。なお、この電力貯蓄量が閾値を上回る場合は通常動作が続行する。しかしこの電力貯蓄量が閾値を下回る場合、マスター装置は他の装置に対してポーリングを行い、他の装置それぞれの電力貯蓄量について問い合わせる。
【００２４】
これらのスレーブ装置はマスター装置の問い合わせの応答としてそれぞれの電力貯蓄量を示すメッセージをマスター装置に送信する。ここで電池式の装置は電池に残っている電力量を示す。一方コンセントに接続される装置は、マスター装置として最もふさわしい装置であるため、例えば「無限」の電力貯蓄量を示すなど、特殊の表示を示す。次に現在のマスター装置は最大の電力貯蓄量を有する装置を選択し、この装置に対してマスター装置としての地位を同装置へ譲りたいという意向を示すメッセージを送信する。このようにしてこの装置は新たなマスター装置になり、元のマスター装置は電力節約のためにスレーブ装置となる。
【００２５】
図４は上記再配当方法に基づいて無線装置を適用する場合における時間的シーケンス４００を示す。なお、この図に示される各フレームそれぞれにおいて符号番号の１０の位だけが異なる要素は同一の要素を示している。このシーケンス４００における第１時間フレームでは、マスター装置４１２と、これと信号通信を行う第１スレーブ装置４１４及び第２スレーブ装置４１６とを有する初期ネットワーク４１０が示される。第２時間フレームでは、ネットワーク４１０に第３スレーブ装置が追加されることによって得られた更新ネットワーク４２０が示される。なお、この追加されたスレーブ装置４２８はコンセント接続された無線装置に相当し、このような装置は電池からの電力に依存しないため基本的に無限の電力貯蓄量を有する。
【００２６】
シーケンス４００の第３時間フレームでは、マスター装置４３２がコンセント接続されたスレーブ装置４３８に対して地位の交換を要請している状態の更新ネットワーク４３０が示される。第４時間フレームでは、マスター装置４３２の電池の電力を節約するためにこのマスター装置４３２がスレーブ装置４４２に変更され、コンセント接続されたスレーブ装置４３８がコンセント接続された新たなマスター装置４４８に変更された状態の更新ネットワーク４４０が示される。
【００２７】
なお、上述の実施形態における特徴や効果は他の実施形態にも拡張適用されることが可能である。例えばマスター装置は自らの電力貯蓄量を定期的に放送することが可能である。これに応じて他のスレーブ装置は各々の電力貯蓄量とはこのマスター装置の電力貯蓄量とを比較し、自装置のほうがマスター装置よりも電力貯蓄量が高いと把握した場合はマスター装置に対して地位を交替することを要請するメッセージを送信することができる。また、これ同様に本発明による基本的な原理を適用して様々な他の実施例を構想することが可能である。
【００２８】
なお、同業者にとっては上述の説明により本発明の特徴及び効果は容易に理解されうると思われる。また、本発明の原理はハードウェア、ソフトウェア、ファームウェア、特殊機能プロセッサや、これらの組み合わせなど様々な形で実現されうる。
【００２９】
本発明の原理は好ましくはハードウェアとソフトウェアとの組み合わせによって実現される。更にここでのソフトウェアは好ましくはハードとしてのプログラム記憶装置に記憶されるアプリケーションプログラムを構成する。このアプリケーションプログラムは適正なアーキテクチャーを有する各種機器にアップロードされることによって実行されうる。このような機器は好ましくはコンピュータプラットホームを構成し、１以上の中央制御部（ＣＰＵ）、ランダムアクセスメモリ（ＲＡＭ）、及び入出力（Ｉ／Ｏ）インタフェースを有する。コンピュータプラットホームは更にオペレーティング・システム及びマイクロインストラクション・コードなどを含むことが可能である。そして上記で説明される各種処理及び機能はこのマイクロインストラクション・コードの一部、アプリケーションプログラムの一部、またはこれらの組み合わせによって構成され、これらはＣＰＵによって実行されうる。また、このコンピュータプラットホームには例えば付随データ記憶ユニットや出力ユニットなど各種周辺機器が接続されうる。
【００３０】
また、図面によって例示される本発明の実施形態におけるシステム構成要素や処理ステップの一部はソフトウェアによって実現されうるため、これらシステム構成要素や処理機能ブロック間の実際の接続などは、ソフトウェアプログラムの構成などによってここで示される例とは異なる場合もある。しかし同業者であれば上記の説明からこのように上述の実施形態とは多少異なる本発明の別の構成例や実施例などを容易に構想することが可能である。
【００３１】
同業者には自明であるように本発明の範囲内において上述以外の別の実施形態を実現することはもちろん可能である。同業者はここにおいて開示される本発明の原理を適用して本発明の範囲を逸脱することなく本発明のシステムの様々な構成や実施を構想しうる。
【００３２】
したがって、ここでは添付図面を参照して例示的に本発明の実施形態を説明したが、本発明はこれらの実施形態に限定されることはなく、同業者は本発明の範囲を逸脱することなくこれらに様々な変形や変更を加えることが可能である。本発明の範囲は本発明の特許請求の範囲によって定義されるのであって、これは上記の変形や変更をもすべて含むように意図されている。
【図面の簡単な説明】
【００３３】
【図１】本発明の一実施形態によるマスター／スレーブネットワークにおいて適用されうる無線装置の概略図である。
【図２】図１の装置によるマスターステイタス降格方法を示すフローチャートである。
【図３】図１の装置によるマスターステイタス再配当方法を示すフローチャートである。
【図４】図１の装置を適用するネットワークにおいて図３の方法を実行する場合の動作工程の一例を示す図である。
【図１】
2005523666.tif 000003
【図２】
2005523666.tif 000004
【図３】
2005523666.tif 000005
【図４】
2005523666.tif 000006
【国際調査報告】
2005523666.tif 000007